(57)【要約】【課題】例えば住宅やオフィス等の室内に設置して該室内を複数の部屋に仕切る場合などに用いる間仕切壁の端部シール構造に係り、上記間仕切壁の側縁部と、それが当接する壁面等との間隔に多少ばらつきが生じても両者を良好にシールすることができると共に、外観体裁のよい間仕切壁の端部シール構造を提供する。【解決手段】間仕切壁Ｐの側縁部をシール部材３を介して他の壁面Ｗ等に当接させるようにした間仕切壁Ｐの端部シール構造において、上記間仕切壁Ｐの側縁部に横断面略四半円弧状のシール部材３を、その自由端部が互いに接近する方向に向いた状態となるようにして上記間仕切壁Ｐの厚さ方向と平行な方向に一対設けたことを特徴とする。【選択図】  図３
2008255736.tif 000002
【特許請求の範囲】
【請求項１】
間仕切壁の側縁部をシール部材を介して他の壁面等に当接させるようにした間仕切壁の端部シール構造において、
上記間仕切壁の側縁部に横断面略四半円弧状のシール部材を、その自由端部が互いに接近する方向に向いた状態となるようにして上記間仕切壁の厚さ方向と平行な方向に一対設けたことを特徴とする間仕切壁の端部シール構造。
【請求項２】
上記一対のシール部材を、上記間仕切壁を構成する間仕切本体の側縁部に、間隔調整部材を介して取付けてなる請求項１に記載の間仕切壁の端部シール構造。
【請求項３】
上記間隔調整部材は、互いに向かい合わせに配置した横断面略コ字形の一対の型材間に弾性体を収容配置した構成である請求項２に記載の間仕切壁の端部シール構造。
【請求項４】
上記一対のシール部材を、それぞれ支持部材を介して上記間仕切本体または上記間隔調整部材の側縁部に取付け支持させてなる請求項２〜３のいずれかに記載の間仕切壁の端部シール構造。
【請求項５】
上記一対のシール部材を、それぞれ上記支持部材と一体に形成すると共に、その各支持部材を横断面略Ｃ字形に形成し、その各支持部材を上記間仕切壁本体または上記間隔調整部材の側縁部に設けた突部に係合保持させるようにした請求項４に記載の間仕切壁の端部シール構造。
【発明の詳細な説明】
【技術分野】
【０００１】
本発明は例えば住宅やオフィス等の室内に設置して該室内を複数の部屋に仕切る場合などに用いるパーティションやスペースウォール等の間仕切壁の端部シール構造に関する。更に詳しくは、上記のような間仕切壁を室内等に付設したとき該室内の他の壁面等に当接する上記間仕切壁の側縁部のシール構造に関するものである。
【背景技術】
【０００２】
従来、住宅やオフィス等の室内にパーティションやスペースウォール等の間仕切壁を設置して該室内を複数の部屋に仕切ることは広く行われている。その場合、上記のような間仕切壁の側縁部は上記室内の他の壁面等に当接させて密閉するもので、その当接力が弱いと、上記間仕切壁と上記壁面等との間に往々にして隙が生じたり、ガタツキが生じる等のおそれがある。
【０００３】
そこで、従来は下記特許文献１〜３のように間仕切壁の側縁部に、軟質の合成樹脂やゴム等の弾性体よりなる横断面略半円形のシール部材を設け、そのシール部材を介して上記間仕切壁の側縁部を他の壁面等に当接させることによって、上記側縁部と上記壁面等とを隙間なく密着させると共に、上記間仕切壁の端部のガタツキを防止することが提案されている。
【０００４】
【特許文献１】特開平１１−３６６９２号公報
【特許文献２】特開２００３−１２０１４３号公報
【特許文献３】特開２００５−２４８４１９号公報
【発明の開示】
【発明が解決しようとする課題】
【０００５】
ところが、上記のように間仕切壁の側縁部に横断面略半円形のシール部材を設けるものは、そのシール部材の大きさや断面積、特に間仕切壁の側縁部からの突出高さの調製が難しく、例えば上記の突出高さが低いと、製作誤差等で上記間仕切壁の側縁部と前記壁面等との間隔が予定よりも僅かに広がっただけで上記シール部材と上記壁面等との間に隙が生じてシール部材としての機能を発揮できないおそれがある。
【０００６】
また逆に、上記シール部材の大きさや断面積が大きいと、間仕切壁の側縁部に取付けたシール部材を前記壁面等に強く圧接させたとき、該シール部材の幅方向（間仕切壁の厚さ方向と平行な方向）の両端部が間仕切壁の厚さ方向両側から外方に大きくはみ出して外観体裁を損ねたり、上記シール部材の中央部が間仕切壁の厚さ方向内方に横断面Ω字状に湾曲したり蛇行して前記壁面等との密着性が低下する等の不具合があった。
【０００７】
本発明は上記の問題点に鑑みて提案されたもので、上記間仕切壁の側縁部と、それが当接する壁面等との間隔に多少ばらつきが生じても両者を良好にシールすることができると共に、外観体裁のよい間仕切壁の端部シール構造を提供することを目的とする。
【課題を解決するための手段】
【０００８】
上記の目的を達成するために本発明による間仕切壁の端部シール構造は、以下の構成としたものである。すなわち、間仕切壁の側縁部をシール部材を介して他の壁面等に当接させるようにした間仕切壁の端部シール構造において、上記間仕切壁の側縁部に横断面略四半円弧状のシール部材を、その自由端部が互いに接近する方向に向いた状態となるようにして上記間仕切壁の厚さ方向と平行な方向に一対設けたことを特徴とする。
【発明の効果】
【０００９】
本発明によるシール部材は、上記のように間仕切壁の側縁部に横断面略四半円弧状のシール部材を、その自由端部が互いに接近する方向に向いた状態となるようにして上記間仕切壁の厚さ方向と平行な方向に一対設けたことによって、上記間仕切壁の側縁部と、それが当接する壁面等との間隔に多少ばらつきが生じても両者を良好にシールすることができる。また上記シール部材を前記壁面等に強く圧接させたときにも前記従来例のようにシール部材が間仕切壁の厚さ方向外側にはみ出して外観体裁を損ねたり、上記シール部材の中央部が間仕切壁の厚さ方向内方に横断面Ω字状に湾曲したり蛇行して前記壁面等との密着性が低下するようなことがなく、間仕切壁の側縁部をシール部材を介して前記壁面等に良好に密着させることが可能となる。
【発明を実施するための最良の形態】
【００１０】
以下、本発明を図に示す実施形態に基づいて具体的に説明する。図１（ａ）は本発明による端部シール構造を備えた間仕切壁の施工例を示す平面図、同図（ｂ）はその正面図、図２（ａ）および（ｂ）は図１（ａ）および（ｂ）の一部の拡大図、図３（ａ）および（ｂ）は図２（ａ）および（ｂ）の更に一部の拡大図、図３（ｃ）は（ｂ）におけるｃ−ｃ断面図である。
【００１１】
図において、１は住宅やオフィス内に付設されるスペースウォール等の間仕切壁Ｐを構成する間仕切本体で、その間仕切本体１は、本実施形態においては図１および図２に示すように方形の枠体１１の両面に面板１２等を張設してなる縦長の長方形状のパネル１０を横方向に複数個（図の場合は５枚）並べて連結部材１３等で連結した構成である。上記各パネル１０の枠体１１の外周面には、そのほぼ全周にわたって断面方形の凹溝１１ａが形成され、横方向に隣り合うパネル１０・１０間に上記の凹溝１１ａ・１１ａによって形成される方形の穴に角棒状の連結部材１３を挿入して接着剤等で固着した構成である。
【００１２】
上記の間仕切壁Ｐを構成する間仕切本体１の建物躯体等への取付手段は適宜であるが、本実施形態は上記間仕切本体１を構成する各パネル１０の枠体１１の下面側に形成した凹溝１１ａ内にスライドベース１４を係合させ、そのスライドベース１４の下端部を、床Ｆ側に設けた下ランナー１５の凹溝条１５ａ内に摺動可能に嵌合すると共に、上記スライドベース１４内に回転自由に設けたねじ杆１６を、それと一体的に設けた回動操作用ディスク１７とともに工具等で回動させて、上記ねじ杆１６に螺合する雌ねじ部材１８を介して上記間仕切本体１を上昇させることによって、上記間仕切本体１を構成する各パネル１０の枠体１１の上面側に形成した凹溝１１ａを、天井Ｃ側に設けた上ランナー１９の凸条１９ａに係合させると共に、上下のランナー１９・１５間に上記間仕切本体１を突っ張り固定する構成である。
【００１３】
上記のようにして上下ランナー１９・１５間に固定した間仕切本体１の側縁部は、例えば図１に示すように互いに対向する壁面Ｗ・Ｗ等にシール部材３を介して密着させるもので、本実施形態においては間仕切本体１の両側縁部に、それぞれ間隔調整部材２を介してシール部材３を取付けた構成である。その各間隔調整部材２は、図の場合は図３（ａ）および図６に示すように押出成形等によって形成した硬質の合成樹脂等よりなる横断面略コ字形の一対の型材２１・２２を互いに向かい合せに且つスライド可能に配置して、その両型材２１・２２間にゴムやスポンジ等の弾性体２３を収容配置した構成である。上記弾性体２３は、必要に応じて上記両型材２１・２２のいずれか一方または両方の内面に接着材等で固着するようにしてもよい。
【００１４】
上記各間隔調整部材２の一方の型材２１には、間仕切本体１側に突出する凸部２１ａが該型材２１の長手方向（上下方向）ほぼ全長にわたって一体に設けられ、その凸部２１ａを上記間仕切本体１の側縁部に形成した凹溝１１ａに係合させることによって、上記型材２１を間仕切本体１の側縁部の所定位置に位置決め保持させる構成である。上記型材２１も必要に応じて上記間仕切本体１に接着材等で固着するようにしてもよい。
【００１５】
一方、上記シール部材３は、本実施形態においては図３（ａ）に示すように横断面略四半円弧状に形成したのものを、上記間仕切壁Ｐの厚さ方向と平行な方向に一対設けると共に、その各シール部材３の自由端部が互いに接近する方向に向いた状態となるようにしたものである。すなわち上記各シール部材３の自由端が互いに対向し、それと反対側の端部が間仕切本体１の側面とほぼ平行な方向に向いた、間仕切本体１の厚さ方向の中心線に対して対称な横断面形状に形成したものである。
【００１６】
上記各シール部材３は、本実施形態においては、それと一体的に設けた硬質の合成樹脂等よりなる支持部材４を介して上記各間隔調整部材２の他方の型材２２に取付けるようにしたもので、上記支持部材４は、本実施形態においては横断面略Ｃ字形に形成され、そのＣ字形の支持部材４を上記型材２２に形成した一対の断面略Ｌ字形の突条２２ａ・２２ａに係合させる構成である。
【００１７】
上記一対の突条２２ａ・２２ａは、その自由端部が互いに反対方向に屈曲するようにして、その自由端部に上記支持部材４のＣ字形の屈曲部を係合させる構成であり、上記一対の突条２２ａ・２２ａは上記型材２２の幅方向（上記間仕切本体１の厚さ方向と平行な方向、すなわち図３（ｂ）で前後方向、以下同様）に一対ずつ設けられ、その各対となる突条２２ａ・２２ａに前記各シール部材３を支持する支持部材４を係合させることによって上記シール部材３を間仕切本体１すなわち間仕切壁Ｐの厚さ方向と平行な方向に一対すなわち２つ設けたものである。
【００１８】
上記シール部材３や支持部材４の製造方法や組み付け方法等は適宜であるが、例えばシール部材３と支持部材４とを同時に押出成形すれば、容易に一体化することができる。また上記のようにしてシール部材３と一体に形成した横断面略Ｃ字形の支持部材４を、上記型材２２に形成した突条２２ａ・２２ａに、その一端側から挿入して係合させるようにすれば、上記各シール部材３を支持部材４を介して上記型材２２に容易に組み付けることができる。特に、型材２２の幅方向両側に配置される支持部材４の横断面形状が図示例のように同一または対称で、シール部材３の横断面形状が対称である場合には、両者を予め同一形状に形成したものを、上記突条２２ａ・２２ａに挿入係合する際に上下反転させて係合させるだけで上記のような対称形状に容易に配置することができるものである。
【００１９】
また上記シール部材３や支持部材４は、前記の間隔調整部材２を介して間仕切本体１に取付けた状態で、その間仕切本体１を前記建物躯体の所定の位置に取付けるようにしてもよいが、上記間仕切本体１を前記建物躯体の所定の位置に予め取付けてから上記シール部材３や支持部材４および間隔調整部材２を取付けることもできる。
【００２０】
図７はその一例を示すもので、同図（ａ）のように予めシール部材３や支持部材４を取付けた型材２２と、他方の型材２１との間に前記弾性体２３を自由状態で収容配置してなる間隔調整部材２を、図中の白抜き矢印のように両型材２１・２２の外側から指等で圧縮した状態で、同図（ｂ）のように予め所定位置に取付けた間仕切本体１と壁面Ｗとの間に挿入することによって上記弾性体２３の弾性復元力で上記間隔調整部材２が元の状態に復帰し、型材２１の凸部２１ａが間仕切本体１の凹溝１１ａに係合すると共に、上記シール部材３が壁面Ｗに圧接して密封される構成である。
【００２１】
上記のように本発明においては、間仕切壁Ｐの側縁部に設けられるシール部材３を横断面略四半円弧状の一対のシール部材３で構成すると共に、上記一対のシール部材３をその各自由端が互いに漸次接近する方向に向いた状態に配置したから、間仕切本体１の側縁部と、それが当接する壁面Ｗ等との間に多少の間隔のバラツキがあっても上記の断面四半円弧状の一対のシール部材３がそれぞれ独立に且つ比較的広い範囲（ストローク）で撓んで上記の間隔を良好に密閉することができるもので、前記従来例のようにシール部材を横断面略半円弧状に形成した場合のようにシール部材の大きさや断面積、特に間仕切壁の側縁部からの突出高さの高低によって上記間仕切壁の側縁部が当接する壁面等との間に隙が生じたり接触圧が大きく変動することがない。
【００２２】
また本発明によるシール部材３は、断面四半円弧状のシール部材３を間仕切壁Ｐや間仕切本体１の厚さ方向と平行な方向に一対設けた構成であり、その両シール部材３は別体に形成されているので、上記間仕切壁Ｐの側縁部を前記壁面Ｗ等に強く圧接させた場合にも、前記従来の半円弧状のシール部材のようにループ状に湾曲したり、間仕切壁の厚さ方向両側から外方に大きくはみ出すことがなく、また万一はみ出した場合にも間仕切壁の厚さ方向内側に容易に押し込むことができる。従って、上記間仕切壁の側縁部を、隣接する壁面Ｗ等に外観体裁よく且つ良好に密着させることが可能となるものである。
【００２３】
なお、例えば図１〜図３に示すように間仕切壁Ｐの側縁部が当接する壁面Ｗ等の下部に幅木３０等の突出部がある場合には、図４および図５に示すように上記幅木３０等の突出部と干渉（交錯）するシール部材３の一部をカッタ等で切除して切欠凹部３ｇ等を形成すれば、上記のような突出部がある場合にも、それによってシール部材３が変形したり、浮き上がることなく、上記シール部材３を上記壁面Ｗ等に良好に密着させることができる。図中、３１は上記間仕切壁Ｐの側面に設けた幅木で、その幅木３１は上記間仕切壁Ｐを構成する間仕切本体１の下端部に両面接着材３２等で取付けられている。
【００２４】
また上記実施形態は、互いに対面する一対の壁面Ｗ・Ｗ間に間仕切壁Ｐを設置する場合を例にして説明したが、例えば図８に示すように壁面Ｗ１とその近傍に配置したスペースキャニスタ３５との間にスペースウォール等の間仕切壁Ｐ１を設置する場合にも前記とほぼ同様の要領で適用することができる。特に、上記図８の実施形態は上記間仕切壁Ｐ１を構成する間仕切本体１を１枚のパネル１０で形成し、その間仕切本体１の両側縁部に前記と同様の間隔調整部材２を介して前記と同様のシール部材３を設けたもので、前記と同様の作用効果が得られる。
【００２５】
さらに上記各実施形態は、間仕切壁Ｐ，Ｐ１を構成する間仕切本体１の両側縁部に間隔調整部材２とシール部材３とを設けたが、上記間仕切本体１のいずれか一方の側縁部にのみ間隔調整部材２とシール部材３とを設けるようにしてもよい。また上記間仕切本体１の両側縁部またはいずれか一方の側縁部の間隔調整部材２を省略もしくは簡略化して、上記間仕切本体１の両側縁部またはいずれか一方の側縁部にシール部材３を直接もしくは各種の支持部材や型材等を介して取付けるようにしてもよい。
【００２６】
図９はその一例を示すもので、間仕切壁Ｐ，Ｐ１を構成する間仕切本体１の両側縁部またはいずれか一方の側縁部に、前記型材２２とほぼ同様の型材２２’を接着材等で取付け、その型材２２’に形成した前記と同様の断面略Ｌ字形の２対の突条２２ａ・２２ａにそれぞれ横断面略Ｃ字形の支持部材４を介して横断面略四半円弧状のシール部材３を取付けたものである。
【産業上の利用可能性】
【００２７】
以上のように、本発明による間仕切壁の端部シール構造は、前記の構成であるから、間仕切壁Ｐの側縁部と、それが当接する壁面Ｗ等との間の間隔に多少のバラツキがあっても良好に密着させることができるもので、例えば住宅やオフィス等のパーティションやスペースウォール等の間仕切壁を容易・迅速に付設することが可能となり、この種の間仕切壁の施工性や経済性および産業上の利用可能性を高めることができる。
【図面の簡単な説明】
【００２８】
【図１】（ａ）は本発明による端部シール構造を備えた間仕切壁の施工例を示す平面図、（ｂ）はその正面図。
【図２】（ａ）および（ｂ）はそれぞれ図１（ａ）および（ｂ）の一部の拡大図。
【図３】（ａ）および（ｂ）はそれぞれ図２（ａ）および（ｂ）の更に一部の拡大図、（ｃ）は（ｂ）におけるｃ−ｃ断面図。
【図４】図３（ｂ）におけるＡ−Ａ断面図。
【図５】図３（ｂ）において間仕切壁やシール材を壁面や床等から離した状態の一部の正面図。
【図６】間仕切本体と間隔調整部材およびシール部材の分解平面図。
【図７】（ａ）〜（ｃ）はシール部材を有する間隔調整部材を間仕切本体と壁面との間にあとから装填する場合の説明図。
【図８】（ａ）は本発明による端部シール構造を備えた間仕切壁の他の施工例を示す平面図、（ｂ）はその正面図。
【図９】間仕切本体に対するシール部材の他の取付例を示す平面図。
【符号の説明】
【００２９】
１  間仕切本体
１０  パネル
１１  枠体
１２  面板
１３  連結部材
１４  スライドベース
１５  下ランナー
１６  ねじ杆
１７  回動操作用ディスク
１８  雌ねじ部材
１９  上ランナー
２  間隔調整部材
２１、２２  型材
２３  弾性体
３  シール部材
３  シール部材
４  支持部材
Ｐ  間仕切壁
Ｗ  壁面
Ｃ  天井
Ｆ  床
【図１】
2008255736.tif 000003
【図２】
2008255736.tif 000004
【図３】
2008255736.tif 000005
【図４】
2008255736.tif 000006
【図５】
2008255736.tif 000007
【図６】
2008255736.tif 000008
【図７】
2008255736.tif 000009
【図８】
2008255736.tif 000010
【図９】
2008255736.tif 000011